(57)【要約】  部分サイクリックプレフィックス廃棄を実行するための手法を説明する。ユーザ機器（ＵＥ）は、データ受信からデータ送信への切換に先行する最後のＯＦＤＭシンボルに対して廃棄するサイクリックプレフィックスの量を低減するかもしれない。これは、ＵＥがより早くデータ受信を完了し、タイミング良くデータ送信へ切り換えることができるかもしれない。一設計において、ＵＥは、第１のＯＦＤＭシンボルを受信し、この第１のＯＦＤＭシンボルに対する第１のサイクリックプレフィックスの量を廃棄するかもしれない。次に、ＵＥは第２のＯＦＤＭシンボルを受信し、この第２のＯＦＤＭシンボルに対する第２のサイクリックプレフィックスの量を廃棄するかもしれない。廃棄するための第２のサイクリックプレフィックスの量は、データ受信からデータ送信への切換のために必要な時間の量に基づいて決定されるかもしれなく、そしてそれは、ＵＥにおける送信タイミングと受信タイミングとの間の時間先行量に依存するかもしれない。【選択図】      図６
2011501903.tif 000002
【特許請求の範囲】
【請求項１】
第１のリンクを介して第１の直交周波数分割多重（ＯＦＤＭ）シンボルを受信することと、
前記第１のＯＦＤＭシンボルに対するサイクリックプレフィックスの第１の量を廃棄することと、
前記第１のＯＦＤＭシンボルに続いて前記第１のリンクを介して第２のＯＦＤＭシンボルを受信することと、
前記第１のリンクでのデータ受信から第２のリンクでのデータ送信へ切り換えるための切換時間を決定することと、
前記切換時間に基づいて廃棄するサイクリックプレフィックスの第２の量を決定することと、ここで、サイクリックプレフィックスの前記第２の量はサイクリックプレフィックスの前記第１の量より小さい、
前記第２のＯＦＤＭシンボルに対するサイクリックプレフィックスの前記第２の量を廃棄することと、
を含む、無線通信のための方法。
【請求項２】
前記切換時間を決定することは、
ユーザ機器（ＵＥ）とノードＢとの間の往復遅延時間（ＲＴＤ）を決定することと、
データ受信からデータ送信へ切り換えるための設定時間と前記ＲＴＤとに基づいて切換時間を決定することと、
を含む、請求項１の方法。
【請求項３】
サイクリックプレフィックスの前記第２の量を廃棄することは、
高速フーリエ変換（ＦＦＴ）ウィンドウを前記第２のＯＦＤＭシンボルの前記サイクリックプレフィックス内で始まるように配置することと、
前記ＦＦＴウィンドウの外側の前記第２のＯＦＤＭシンボルの前記サイクリックプレフィックスの部分を廃棄することと、
を含む請求項１の方法。
【請求項４】
前記ＦＦＴウィンドウを配置することは、前記第２のＯＦＤＭシンボルの終了より少なくとも前記切換時間だけ早く終わるようにＦＦＴウィンドウを配置することをさらに含む、請求項３の方法。
【請求項５】
サイクリックプレフィックスの前記第１の量は、前記第１のＯＦＤＭシンボルのサイクリックプレフィックス全体を含み、かつ、サイクリックプレフィックスの前記第２の量は、前記第２のＯＦＤＭシンボルの前記サイクリックプレフィックスの部分を含む、請求項１の方法。
【請求項６】
前記第２のリンクでのデータ送信のための送信タイミングに従って、単一キャリア周波数分割多重（ＳＣ−ＦＤＭ）シンボルを送信することをさらに含み、前記送信タイミングは前記第１のリンクでのデータ受信に対する受信タイミングと比較して先行しており、かつ前記切換時間は前記送信タイミングと前記受信タイミングとの間の時間先行量に基づいて決定される、
請求項１の方法。
【請求項７】
前記ＳＣ−ＦＤＭシンボルのサイクリックプレフィックスの部分を廃棄することをさらに含み、ここで前記サイクリックプレフィックスの前記廃棄される部分は前記切換時間に基づいて決定される、
請求項６の方法。
【請求項８】
ゼロＯＦＤＭシンボルのガード期間は、前記第１のリンクでのデータ受信と前記第２のリンクでのデータ送信との間で用いられる、請求項１の方法。
【請求項９】
整数のＯＦＤＭシンボルのガード期間は、前記第１のリンクでのデータ受信と前記第２のリンクでのデータ送信との間で用いられる、請求項１の方法。
【請求項１０】
前記第２のＯＦＤＭシンボルは、前記第１のリンクでのデータ受信から前記第２のリンクでのデータ送信への切換点に先行する最後のＯＦＤＭシンボルである、請求項１の方法。
【請求項１１】
前記第１のリンクでのデータ受信および前記第２のリンクでのデータ送信は、時分割多重（ＴＤＤ）動作または半二重周波数分割多重（ＦＤＤ）動作に対するものである、請求項１に記載の方法。
【請求項１２】
前記第１のリンクはダウンリンクであり、かつ前記第２のリンクはアップリンクである、請求項１の方法。
【請求項１３】
第１のリンクを介して第１の直交周波数分割多重（ＯＦＤＭ）シンボルを受信するように、前記第１のＯＦＤＭシンボルに対するサイクリックプレフィックスの第１の量を廃棄するように、前記第１のＯＦＤＭシンボルに続いて前記第１のリンクを介して第２のＯＦＤＭシンボルを受信するように、前記第１のリンクでのデータ受信から第２のリンクでのデータ送信へ切り換えるための切換時間を決定するように、前記切換時間に基づいて廃棄するサイクリックプレフィックスの第２の量を決定するように、ここで、サイクリックプレフィックスの前記第２の量はサイクリックプレフィックスの前記第１の量より小さい、および、前記第２のＯＦＤＭシンボルに対するサイクリックプレフィックスの前記第２の量を廃棄するように、構成された少なくとも１つのプロセッサ、
を含む無線通信のための装置。
【請求項１４】
前記少なくとも１つのプロセッサは、ユーザ機器（ＵＥ）とノードＢとの間の往復遅延時間（ＲＴＤ）を決定するように、データ受信からデータ送信へ切り換えるための設定時間と前記ＲＴＤとに基づいて切換時間を決定するように構成された、請求項１３の装置。
【請求項１５】
前記少なくとも１つのプロセッサは、高速フーリエ変換（ＦＦＴ）ウィンドウを前記第２のＯＦＤＭシンボルの前記サイクリックプレフィックス内で始まるように配置するように、および、前記ＦＦＴウィンドウの外側の前記第２のＯＦＤＭシンボルの前記サイクリックプレフィックスの部分を廃棄するように、構成された請求項１３の装置。
【請求項１６】
前記少なくとも１つのプロセッサは、前記第２のＯＦＤＭシンボルの終了より少なくとも前記切換時間だけ早く終わるようにＦＦＴウィンドウを配置するように構成された請求項１５の装置。
【請求項１７】
前記少なくとも１つのプロセッサは前記第２のリンクでのデータ送信のための送信タイミングに従って、単一キャリア周波数分割多重（ＳＣ−ＦＤＭ）シンボルを送信するように構成され、前記送信タイミングは前記第１のリンクでのデータ受信に対する受信タイミングと比較して先行しており、かつ前記切換時間は前記送信タイミングと前記受信タイミングとの間の時間先行量に基づいて決定される、請求項１３の装置。
【請求項１８】
第１のリンクを介して第１の直交周波数分割多重（ＯＦＤＭ）シンボルを受信するための手段と、
前記第１のＯＦＤＭシンボルに対するサイクリックプレフィックスの第１の量を廃棄するための手段と、
前記第１のＯＦＤＭシンボルに続いて前記第１のリンクを介して第２のＯＦＤＭシンボルを受信するための手段と、
前記第１のリンクでのデータ受信から第２のリンクでのデータ送信へ切り換えるための切換時間を決定するための手段と、
前記切換時間に基づいて廃棄するサイクリックプレフィックスの第２の量を決定するための手段と、ここで、サイクリックプレフィックスの前記第２の量はサイクリックプレフィックスの前記第１の量より小さい、
前記第２のＯＦＤＭシンボルに対するサイクリックプレフィックスの前記第２の量を廃棄するための手段と、
を含む、無線通信のための装置。
【請求項１９】
前記切換時間を決定するための手段は、
ユーザ機器（ＵＥ）とノードＢとの間の往復遅延時間（ＲＴＤ）を決定するための手段と、
データ受信からデータ送信へ切り換えるための設定時間と前記ＲＴＤとに基づいて切換時間を決定するための手段、
とを含む、請求項１８の装置。
【請求項２０】
サイクリックプレフィックスの前記第２の量を廃棄するための前記手段は、
高速フーリエ変換（ＦＦＴ）ウィンドウを前記第２のＯＦＤＭシンボルの前記サイクリックプレフィックス内で始まるように配置するための手段と、
前記ＦＦＴウィンドウの外側の前記第２のＯＦＤＭシンボルの前記サイクリックプレフィックスの部分を廃棄するための手段と、
を含む、請求項１８の装置。
【請求項２１】
前記ＦＦＴウィンドウを配置するための前記手段は、前記第２のＯＦＤＭシンボルの終了より少なくとも前記切換時間だけ早く終わるように前記ＦＦＴウィンドウを配置するための手段をさらに含む、請求項２０の装置。
【請求項２２】
前記第２のリンクでのデータ送信のための送信タイミングに従って、単一キャリア周波数分割多重（ＳＣ−ＦＤＭ）シンボルを送信する手段をさらに含み、前記送信タイミングは前記第１のリンクでのデータ受信のための受信タイミングと比較して先行しており、かつ前記切換時間は前記送信タイミングと前記受信タイミングとの間の時間先行量に基づいて決定される、
請求項１８の装置。
【請求項２３】
少なくとも１つのコンピュータに、第１のリンクを介して第１の直交周波数分割多重（ＯＦＤＭ）シンボルを受信させるためのコードと、
少なくとも１つのコンピュータに、前記第１のＯＦＤＭシンボルに対するサイクリックプレフィックスの第１の量を廃棄させるためのコードと、
少なくとも１つのコンピュータに、前記第１のＯＦＤＭシンボルに続いて前記第１のリンクを介して第２のＯＦＤＭシンボルを受信させるためのコードと、
少なくとも１つのコンピュータに、前記第１のリンクでのデータ受信から第２のリンクでのデータ送信へ切り換えるための切換時間を決定させるためのコードと、
少なくとも１つのコンピュータに、前記切換時間に基づいて廃棄するサイクリックプレフィックスの第２の量を決定させるためのコードと、ここで、サイクリックプレフィックスの前記第２の量はサイクリックプレフィックスの前記第１の量より小さい、
少なくとも１つのコンピュータに、前記第２のＯＦＤＭシンボルに対するサイクリックプレフィックスの前記第２の量を廃棄させるためのコード、
とを含むコンピュータ可読媒体を含む、コンピュータプログラム製品。
【発明の詳細な説明】
【技術分野】
【０００１】
本出願は、２００７年１０月１日に出願され、ここの譲受人に譲渡され、ここに参照として組み込まれる米国仮出願番号60/976,772、名称”PARTIAL DISCARDING OF CP FOR EFFICIENT TDD OPERATION”（「効率的ＴＤＤ動作のためのＣＰの部分廃棄」）に対する優先権を主張する。
【０００２】
本開示は一般に通信に関する。より詳細には、無線通信システムにおけるデータの送信および受信のための手法に関する。
【背景技術】
【０００３】
無線通信システムは、音声、ビデオ、パケットデータ、メッセージ伝送、放送等のような種々の通信コンテンツを提供するために広く展開されている。これらの無線システムは、利用可能なシステム資源を共有することにより複数のユーザをサポートできる多元接続システムであるかもしれない。そのような多元接続システムの例は符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、および単一キャリアＦＤＭＡ（ＳＣ−ＦＤＭＡ）システムを含む。
【０００４】
無線通信システムは多くのユーザ機器（ＵＥ）に対して通信をサポートできる多くのノードＢを含むかもしれない。ＵＥは、任意のときにデータを送信または受信することのみができるかもしれない。ＵＥは、ある時にはデータをノードＢから受信するかもしれなく、別の時にはデータをノードＢへ送信するかもしれない。データ受信からデータ送信への各切換点に対して、無送信のガード期間が定義されるかもしれない。このガード期間は、ＵＥにデータ受信を終了し、適切な時にデータ送信を開始することを許可するかもしれず、従って、ノードＢはノードＢにおける適切なタイミングでデータ伝送を受信できる。ガード期間はオーバヘッドに相当し、システムの効率を低下させる。システム効率を向上させるためにガード期間をできるだけ短くすることが望ましい。
【発明の概要】
【０００５】
データ受信からデータ送信へ切り換える時間をより多く得るための部分サイクリックプレフィックス廃棄を実行するための技術がこの中で説明される。部分サイクリックプレフィックス廃棄において、ＵＥは、データ受信からデータ送信への切換に先行する最後の直交周波数分割多重（ＯＦＤＭ）シンボルに対して廃棄するサイクリックプレフィックスの量を減少させるかもしれない。これは、ＵＥに、より早くデータ受信を完了し、適時にデータ送信へ切り換えることを許可するかもしれない。本技術は、ガード期間を縮小するかもしれなく、場合により除去するかもしれなく、そしてそれは、システム効率を向上させるかもしれない。本技術は、半二重周波数分割複信（ＦＤＤ）動作と同様に時分割複信（ＴＤＤ）動作に用いられる。
【０００６】
一設計において、ＵＥは第１のＯＦＤＭシンボルを受信し、第１のＯＦＤＭシンボルに対するサイクリックプレフィックスの第１の量（例えば、サイクリックプレフィックス全体）を廃棄するかもしれない。次に、ＵＥは第２のＯＦＤＭシンボルを受信するかもしれなく、そしてそれは、データ受信からデータ送信への切換に先行する最後のＯＦＤＭシンボルかもしれない。ＵＥは第２のＯＦＤＭシンボルに対するサイクリックプレフィックスの第２の量（例えば、部分サイクリックプレフィックス）を廃棄するかもしれない。廃棄するサイクリックプレフィックスの第２の量は、データ受信からデータ送信への切換のための切換時間に基づいて決定されるかもしれない。ＵＥは送信タイミングに従って単一キャリア周波数分割多重（ＳＣ−ＦＤＭ）シンボルを送信するかもしれなく、そしてそれは、ＵＥにおける受信タイミングと比較して先行するかもしれない。ＵＥは、ＵＥにおける送信タイミングと受信タイミングとの間の時間先行量に基づいて切換時間を決定するかもしれない。
【０００７】
本開示の種々の態様および特徴は以下にさらに詳細に説明される。
【図面の簡単な説明】
【０００８】
【図１】無線通信システムを示す。
【図２】ＯＦＤＭ変調器のブロック図を示す。
【図３Ａ】フレーム構造の一例を示す。
【図３Ｂ】フレーム構造の一例を示す。
【図４】ＴＤＤまたは半二重ＦＤＤ動作のためのダウンリンクおよびアップリンク送信の例を示す。
【図５】全および部分サイクリックプレフィックス廃棄を示す。
【図６】部分サイクリックプレフィックス廃棄を伴うデータ受信を示す。
【図７】データの受信および送信するための処理を示す。
【図８】データの受信および送信するための装置を示す。
【図９】ノードＢおよびＵＥのブロック図を示す。
【発明を実施するための形態】
【０００９】
ここに開示された技術は、ＣＤＭＡ、ＴＤＭＡ、ＦＤＭＡ、ＯＦＤＭＡ、ＳＣ−ＦＤＭＡおよび他のシステムのような種々の無線通信システムに用いられるかもしれない。用語「システム」および「ネットワーク」は、しばしば互換性を持って用いられる。ＣＤＭＡシステムは、ユニバーサル地上無線接続（ＵＴＲＡ）、ｃｄｍａ２０００などのような無線技術を実施するかもしれない。ＵＴＲＡは広帯域ＣＤＭＡ（ＷＣＤＭＡ）およびＣＤＭＡの他の変形を含む。ｃｄｍａ２０００はＩＳ−２０００、ＩＳ−９５およびＩＳ−８５６の諸標準をカバーする。ＴＤＭＡシステムは広域移動通信システム（ＧＳＭ）のような無線技術を実施するかもしれない。ＯＦＤＭＡシステムは発展型ＵＴＲＡ（Ｅ−ＵＴＲＡ）、ウルトラ移動広帯域（ＵＭＢ）、ＩＥＥＥ８０２．１１（ＷｉＦｉ）、ＩＥＥＥ８０２．１６（ＷｉＭＡＸ）、ＩＥＥＥ８０２．２０、フラッシュ−ＯＦＤＭ（登録商標）などのような無線技術を実施するかもしれない。ＵＴＲＡおよびＥ−ＵＴＲＡはユニバーサル移動通信システム（ＵＭＴＳ）の部分である。３ＧＰＰ長期発展型（ＬＴＥ）は、Ｅ−ＵＴＲＡを用いるＵＭＴＳの近くリリースされるものであり、そしてそれはダウンリンクでＯＦＤＭＡを、アップリンクでＳＣ−ＦＤＭＡを採用する。ＵＴＲＡ、Ｅ−ＵＴＲＡ、ＵＭＴＳ、ＬＴＥおよびＧＳＭは「第３世代パートナシッププロジェクト」（３ＧＰＰ）という組織からの文書に記載されている。ｃｄｍａ２０００およびＵＭＢは「第３世代パートナシッププロジェクト２」（３ＧＰＰ２）という組織からの文書に記載されている。明快さのために、ＬＴＥについて本技術の特定の態様を以下に説明する。以下の説明の多くでＬＴＥ用語が用いられる。
【００１０】
図１は無線通信システム１００を示し、そしてそれはＬＴＥシステムであるかもしれない。システム１００は多くのノードＢ１１０および他のネットワークエンティティを含むかもしれない。ノードＢは、ＵＥと交信する固定局であり、また発展型ノードＢ（ｅＮＢ）、基地局、アクセスポイントなどとも呼ばれるかもしれない。各ノードＢ１１０は特定の地理的な領域に通信カバレッジ(communication coverage)を提供する。ノードＢのカバレッジ領域全体は複数（例えば３）のより小さい領域に分割されるかもしれない。各小領域はそれぞれのノードＢのサブシステムによってサービスされるかもしれない。３ＧＰＰにおいて、用語「セル」はノードＢの最小のカバレッジ領域および／またはこのカバレッジ領域をサービスするノードＢのサブシステムのことを指すことができる。
【００１１】
ＵＥ１２０はシステム内にわたって分散されるかもしれず、各ＵＥは静止または移動しているかもしれない。また、ＵＥは移動局、端末、アクセス端末、加入者ユニット、局などと呼ばれるかもしれない。ＵＥは携帯電話、携帯情報端末（ＰＤＡ）、無線モデム、無線通信機器、ハンドヘルド機器、ラップトップコンピュータ、コードレス電話などであるかもしれない。ＵＥはダウンリンクおよびアップリンクを介してノードＢと交信するかもしれない。ダウンリンク（または、順方向リンク）はノードＢからＵＥへの通信リンクのことを指し、アップリンク（または、逆方向リンク）はＵＥからノードＢへの通信リンクのことを指す。
【００１２】
ＬＴＥはダウンリンクでＯＦＤＭを、アップリンクでＳＣ−ＦＤＭを利用する。ＯＦＤＭおよびＳＣ−ＦＤＭはシステムの帯域幅を複数（ＮＦＦＴ）の直交したサブキャリアに分割し、そしてこれらは一般的にトーン、ビンなどとも呼ばれる。各サブキャリアはデータで変調されるかもしれない。一般に、変調シンボルはＯＦＤＭでは周波数領域で、ＳＣ−ＦＤＭでは時間領域で送られる。隣接サブキャリア間の間隔は固定であるかもしれず、サブキャリアの全体の個数（ＮＦＦＴ）はシステム帯域幅に依存するかもしれない。例えば、１．２５、２．５、５、１０または２０ＭＨｚのシステム帯域幅に対して、ＮＦＦＴは、それぞれ１２８、２５６、５１２、１０２４または２０４８であるかもしれない。
【００１３】
図２は、送信機、例えばノードＢ、のためのＯＦＤＭ変調器２００の設計のブロック図を示す。ＯＦＤＭ変調器２００内において、直列／並列（Ｓ／Ｐ）変換器２１２は、入力シンボル（例えば変調シンボル）を受信するかもしれず、これらの入力シンボルを並列形式で出力するかもしれない。シンボル／サブキャリアマッパ（symbol-to-subcarrier mapper）２１４は、入力シンボルを送信に用いるサブキャリアへマッピングするかもしれず、ゼロの信号値を有するゼロシンボルを残りのサブキャリアへマッピングするかもしれない。逆高速フーリエ変換（ＩＦＦＴ）ユニット２１６は、１のＯＦＤＭシンボル期間に、ＮＦＦＴ個の総サブキャリアに対するＮＦＦＴ個のマッピングされたシンボルを受信するかもしれない。ＩＦＦＴユニット２１６は、ＮＦＦＴ個のマッピングされたシンボルをＮＦＦＴ点ＩＦＦＴを用いて時間領域へ変換するかもしれず、ＮＦＦＴ個の時間領域サンプルを提供するかもしれない。各サンプルは１のサンプル期間で送られるべき複素値である。並列／直列（Ｐ／Ｓ）変換器２１８は、ＮＦＦＴ個のサンプルを直列にするかもしれず、これらのサンプルを含む有効部分（useful portion）を提供するかもしれない。サイクリックプレフィックス生成器２２０は、前記有効部分の最後のＮＣＰ個のサンプルを複製するかもしれず、ＮＦＦＴ＋ＮＣＰサンプルを含むＯＦＤＭシンボルを取得するために、これらＮＦＦＴ個のサンプルを有効部分の前に貼り付けるかもしれない。複製された部分はサイクリックプレフィックス（ＣＰ）と呼ばれ、ＮＣＰはサイクリックプレフィックス長である。サイクリックプレフィックスは、周波数選択性フェージングによって引き起こされるシンボル間干渉（ＩＳＩ）に対処するために用いられる。
【００１４】
（例えば、ＵＥの）ＳＣ−ＦＤＭにおいて、Ｋ個の周波数領域シンボルを取得するために、最初にＫ個の入力シンボルがＫ点離散フーリエ変換（ＤＦＴ）を用いて変換されるかもしれない。Ｋ個の周波数領域シンボルは、有効部分に対するＮＦＦＴ個のサンプルおよびサイクリックプレフィックスに対するＮＣＰ個のサンプルを含むＳＣ−ＦＤＭシンボルを取得するために、シンボル／サブキャリアマッパ２１４、ＩＦＦＴユニット２１６、Ｐ／Ｓ変換器２１８、およびサイクリックプレフィックス生成器２２０によって処理されるかもしれない。
【００１５】
システムはＦＤＤまたはＴＤＤを利用するかもしれない。ＦＤＤにおいては、ダウンリンクおよびアップリンクは別々の周波数チャンネルを割り当てられ、ダウンリンク送信はある周波数チャンネルで送られるかもしれず、アップリンク送信は別の周波数チャンネルで送信されるかもしれない。ＴＤＤにおいては、ダウンリンクおよびアップリンクは同じ周波数チャンネルを共有し、ダウンリンク送信はある時間にその周波数チャンネルで送信さられかもしれず、アップリンク送信は別の時間に同じ周波数チャネルで送信されるかもしれない。
【００１６】
図３ＡはＬＴＥのＦＤＤに用いられるかもしれないフレーム構造タイプ１（ＦＳ１）の例示的フレーム構造３００を示す。各リンクの送信時系列は無線フレーム単位に分割される。各無線フレームは予め定められた継続時間（例えば１０ミリ秒（ｍｓ））を有するかもしれず、０から９のインデックスをつけた１０個のサブフレームに分割されるかもしれない。各サブフレームは２つのスロットを含むかもしれず、各スロットは０からＬ−１のインデックスをつけたＬ個のシンボル期間を含むかもしれず、例えば、拡張サイクリックプレフィックスに対してＬ＝６シンボル期間、標準サイクリックプレフィックスに対してＬ＝７シンボル期間である。
【００１７】
ＦＤＤにおいては、各無線フレームで１０個のサブフレームがダウンリンク送信に利用可能であるかもしれず、１０個のサブフレームがアップリンク送信に利用可能であるかもしれない。全二重ＦＤＤにおいては、ＵＥはノードＢにアップリンク送信を送るかもしれず、同時にノードＢからのダウンリンク送信を受信するかもしれない。半二重ＦＤＤにおいては、ＵＥは異なる時間にアップリンク送信を送信するかもしれず、ダウンリンク送信を受信するかもしれず、その結果アップリンクとダウンリンク送信は時間的にオーバラップしない。
【００１８】
図３ＢはＬＴＥのＴＤＤに用いられるかもしれないフレーム構造タイプ２（ＦＳ２）の例示的フレーム構造３５０を示す。送信時系列は無線フレーム単位に分割される。各無線フレームは１０ｍｓの継続時間を有するかもしれず、０から９のインデックスをつけた１０個のサブフレームに分割されるかもしれない。ＬＴＥは複数のダウンリンク−アップリンク構成をサポートする。すべてのダウンリンク−アップリック構成において、サブフレーム０および５はダウンリンク（ＤＬ）に用いられかもしれず、サブフレーム２はアップリンク（ＵＬ）に用いられるかもしれない。サブフレーム３、４、７、８および９はダウンリンク−アップリック構成に従って、それぞれダウンリンクまたはアップリンクに用いられるかもしれない。サブフレーム１はデータ伝送と同様にダウンリンク制御チャネルに用いられるダウンリンクパイロットタイムスロット（ＤｗＰＴＳ）、無送信のガード期間（ＧＰ）、およびランダムアクセスチャンネル（ＲＡＣＨ）またはサウンディングリファレンス信号（ＳＲＳ）のいずれかに用いられるアップリンクパイロットタイムスロット（ＵｐＰＴＳ）を含む３つの特別なフィールドを含むかもしれない。サブフレーム６は、ダウンリンク−アップリンク構成に従う１つのダウンリンクサブフレーム、３つの特別なフィールドすべて、またはＤｗＰＴＳのみを含むかもしれない。ＤｗＰＴＳ、ＧＰ、およびＵｐＰＴＳは異なるサブフレーム構成に対して異なる期間を有するかもしれない。この特別なフィールドに用いられない各サブフレームは２つのスロットに分割されるかもしれず、各スロットはＬ個のシンボル期間を含むかもしれない。
【００１９】
フレーム構造３００および３５０は一般に入手可能な「発展型ユニバーサル地上無線アクセス（Ｅ−ＵＴＲＡ）；物理チャネルおよび変調」と名付けられた３ＧＰＰ  ＴＳ３６．２１１に記載されている。
【００２０】
ＴＤＤ動作および半二重ＦＤＤ動作の双方において、ＵＥは、ダウンリンクサブフレームとアップリンクサブフレームとがオーバラップしない状態で、ダウンリンクサブフレームでデータを受信するかもしれず、アップリンクサブフレームでデータを送信するかもしれない。ダウンリンクサブフレームはデータをダウンリンクで送信するかもしれないサブフレームであり、アップリンクサブフレームはデータをアップリンクで送信するかもしれないサブフレームである。ＴＤＤ動作よび半二重ＦＤＤ動作の双方において、ガード期間は、ダウンリンクからアップリンクへの切換点において定義されるかもしれず、切換点の直前のダウンリンクサブフレーム内のＮＧＰ個のＯＦＤＭシンボルをカバーするかもしれない。ガード期間中には伝送は送信されない。ガード期間は、ＵＥに、ノードＢにおける受信時間がノードＢにおける送信時間に並べられることができるように、適切な時間だけ先行してアップリンク送信を開始することを許可するかもしれない。
【００２１】
図４は、ダウンリンク−アップリンク切換点にガード期間を有するＴＤＤまたは半二重ＦＤＤ動作のためのダウンリンクおよびアップリンク送信の一例を示す。ノードＢはサブフレームｎにおいてダウンリンクでデータを送信し、ＵＥはサブフレームｎ＋１でアップリンクでデータを送信する。ダウンリンク−アップリンク切換点は時間Ｔ５で起き、そしてそれは、ノードＢにおけるサブフレームｎとｎ＋１との間の境界に一致する。
【００２２】
図４に示す例において、各スロットは標準のサイクリックプレフィックスに関して７個のシンボル期間を含み、ガード期間はＮＧＰ＝２ＯＦＤＭシンボルである。ノードＢは、サブフレームｎの右スロットのシンボル期間０から４にＯＦＤＭシンボル０から４を送信し、シンボル期間５および６には送信しない。ＵＥはサブフレームｎ内のノードＢからのＯＦＤＭシンボル０から４を受信する。ＯＦＤＭシンボル０は、時間Ｔ１からノードＢによって送信され始め、時間Ｔ２からＵＥによって受信され始める。受信時間Ｔ２と送信時間Ｔ１との間の差はダウンリンク伝搬遅延ΔＴＤＬであり、ΔＴＤＬ  ＝  Ｔ２  −  Ｔ１である。
【００２３】
ＵＥはサブフレームｔ＋１の左スロットのシンボル期間０にＳＣ−ＦＤＭシンボル０を送信する。ＳＣ−ＦＤＭシンボル０は、時間Ｔ４からＵＥによって送信され始め、時間Ｔ５からノードＢによって受信され始める。受信時間Ｔ５と送信時間Ｔ４との間の差はアップリンク伝搬遅延ΔＴＵＬであり、ΔＴＵＬ  ＝  Ｔ５  −  Ｔ４である。ＵＥにおける送信時間Ｔ４は、ノードＢにおける受信時間Ｔ５がサブフレーム境界のダウンリンク−アップリンク切換点に並べられるように選択されるかもしれない。ダウンリンクの最後のＯＦＤＭシンボル４の終了（時間Ｔ３）からアップリンクの最初のＳＣ−ＦＤＭの開始（時間Ｔ４）までの間隔はＵＥがダウンリンク受信からアップリンク送信への切換に利用できる時間である。
【００２４】
要するに、ＵＥは、ノードＢが時間Ｔ１にアップリンク送信を受信するために時間Ｔ０にアップリンク送信を送る必要があるだろう。ノードＢはダウンリンク送信を時間Ｔ１に送るかもしれず、ＵＥは時間Ｔ２にダウンリンク送信を受信するかもしれない。往復遅延時間(round trip delay)（ＲＴＤ）はＵＥにおける受信時間Ｔ２と送信時間Ｔ０の差に等しく、すなわちＲＴＤ  ＝  Ｔ２  −  Ｔ０  ＝  ΔＴＤＬ  ＋  ΔＴＵＬである。このように、ノードＢが同じ送信および受信タイミングを有することができるように、ＵＥにおける送信タイミングはＵＥにおける受信タイミングに比較して１ＲＴＤだけ先行している。
【００２５】
ガード期間は設定可能な期間であるかもしれない。表１は、一設計に従う、サブフレーム０、サブフレーム５、および無線フレームの残余のサブフレームでサポートされるガード期間の一覧である。他のガード期間もサポートされるかもしれない。表１に示す設計において、０のガード期間はサポートされる。ノードＢは、０のガード期間を有するサブフレームのすべてのシンボル期間にＯＦＤＭシンボルを送信するかもしれない。
【表１】
2011501903.tif 000003
【００２６】
表２は、ＬＴＥの標準サイクリックプレフィックスおよび拡張サイクリックプレフィックスに対するＯＦＤＭニューメロロジー（numerology）の一覧である。ＯＦＤＭシンボルの有効部分は、標準および拡張サイクリックプレフィックスの双方に対してＮＦＦＴ＝２０４８サンプル、長さ６６．６７μ秒（μｓ）を含むかもしれない。標準サイクリックプレフィックスは、ＯＦＤＭシンボル０に対してはＮＣＰ＝１６０サンプル、およびＯＦＤＭシンボル１から６までの各々に対してはＮＣＰ＝１４４サンプルを含むかもしれない。拡張サイクリックプレフィックスは各ＯＦＤＭシンボルに対してＮＣＰ＝５１２サンプルを含むかもしれない。
【表２】
2011501903.tif 000004
【００２７】
ＲＴＤはノードＢとＵＥ間の距離に依存するかもしれない。表３の最初の２つの列はＵＥとノードＢとの間の種々の見通し内距離(line-of-sight distance)に対するＲＴＤを与える。
【表３】
2011501903.tif 000005
【００２８】
図４に示すように、ＵＥは、そのダウンリンク−アップリンク切換点におけるその受信時間に１のＲＴＤ先行してアップリンク送信を送信する必要があるだろう。１のＲＴＤの時間先行は、ダウンリンクおよびアップリンクでゼロでない伝搬遅延があっても、ノードＢにおける受信時間がノードＢにおける送信タイミングに合致することを確実にするかもしれない。
【００２９】
ＵＥは、ダウンリンク受信からアップリンク送信へ回路を切り換えるための特定の設定時間を必要とするかもしれない。この設定時間は、ＵＥの設計に依存するかもしれず、１から２μｓのオーダであるかもしれない。切換時間は以下のように定義される。
【００３０】
ＴＳＷＩＴＣＨ  ＝  ＲＴＤ  ＋  ＴＳＥＴＵＰ      式（１）
ここで、ＴＳＷＩＴＣＨは切換時間、ＴＳＥＴＵＰは設定時間である。切換時間は、ＵＥが回路を切り換え、適当な先行時間を有してアップリンク送信を送信するために、ダウンリンク受信の終了からアップリンク送信の開始までに必要とする時間である。
【００３１】
表３の最後の２列は、設定時間を２μｓと仮定したときのノードＢとＵＥとの間の種々の見通し内距離に対する切換時間を与える。表３に示すように、１００メートルのノードＢ−ＵＥ間距離において、切換時間は標準サイクリックプレフィックス期間内に十分入っている。２キロメートル（ｋｍ）以下のノードＢ−ＵＥ間距離において、切換時間は拡張サイクリックプレフィックス期間内に入っている。
【００３２】
一態様において、部分サイクリックプレフィックス廃棄(partial cyclic prefix discarding)は、ＵＥがＴＤＤまたは半二重ＦＤＤ動作でダウンリンク受信からアップリンク送信へ切り換える時間をより長く取得するために使用されるかもしれない。部分サイクリックプレフィックス廃棄は、ゼロＯＦＤＭシンボルのガード期間を有する動作をサポートするために用いられるかもしれず、そしてそれはシステム効率を向上させる。部分サイクリックプレフィックス廃棄においては、ＵＥはダウンリンク−アップリンク切換点に先行する最後のＯＦＤＭシンボルについて廃棄するサイクリックプレフィックスの量を減少させるかもしれず、その結果、切換時間は、できる限りＩＳＩを減少させながらを満足させられ得る。
【００３３】
図５は、ダウンリンク−アップリンク切換点に先行してＵＥで受信される最後のＯＦＤＭシンボルに対するサイクリックプレフィックスの全および部分廃棄を示す。受信ＯＦＤＭシンボルは、有効部分のためのＮＦＦＴサンプルが後続するサイクリックプレフィックスのためのＮＣＰサンプルを含む。サイクリックプレフィックスは、時間ＴＡで始まり、時間ＴＢで終わり、ここで、ＴＢ  −  ＴＡ  ＝  ＮＣＰである。有効部分は、時間ＴＢで始まり、時間ＴＣで終わり、ここで、ＴＣ  −  ＴＢ  ＝  ＮＦＦＴである。サイズがＮＦＦＴである高速フーリエ変換（ＦＦＴ）ウィンドウは、ＯＦＤＭ復調のためのＦＦＴによる処理のために時間ＴＡからＴＣまでの間のＮＦＦＴ＋ＮＣＰの全サンプルからＮＦＦＴサンプルのみを選択する。
【００３４】
全／ノミナル（nominal）サイクリックプレフィックス廃棄においては、図５の上段の図に示すように、ＦＦＴウィンドウは有効部分とオーバラップするように配置されるかもしれない。サイクリックプレフィックスのすべてまたは大部分は廃棄され、有効部分のすべてまたは大部分はＯＦＤＭ復調のために処理されるだろう。この場合、サイクリックプレフィックスのすべてまたは大部分は、ＩＳＩに対処するために用いられ、対応するキャリア間干渉（ＩＣＩ）は最小化されるだろう。しかし、ＯＦＤＭシンボル時間全体がダウンリンク受信に用いられ、時間ＴＣでのＯＦＤＭシンボルの終了までアップリンク送信への切換が開始されないだろう。ＵＥは最後のＯＦＤＭシンボルの終了に１のＲＴＤ先行して送信を開始する必要があるかもしれず、そして、回路切換にいくらか時間が必要でもあるかもしれないため、全／ノミナルサイクリックプレフィックス廃棄は、ＵＥがＴＤＤまたは半二重ＦＤＤ動作のために適当な時間にダウンリンク受信を完了してアップリンク送信を開始することを不可能にするかもしれない。
【００３５】
部分サイクリックプレフィックス廃棄の一例は図５の中段に示される。この例において、ＦＦＴウィンドウはサイクリックプレフィックス内のどこかから始まるように配置される。サイクリックプレフィックスは部分的に廃棄され、有効部分の大部分と同様にいくつかのサイクリックプレフィックスは後続の処理のためにＦＦＴウィンドウによって選択される。この部分サイクリックプレフィックス廃棄はＦＦＴウィンドウの終了において切換時間に用いられるかもしれないτ１の期間を提供する。
【００３６】
部分サイクリックプレフィックス廃棄の別の例は図５の下段に示される。この例において、ＦＦＴウィンドウはサイクリックプレフィックスの開始に近いところで始まるように配置される。サイクリックプレフィックスは部分的に廃棄され、有効部分の大部分と同様に大部分のサイクリックプレフィックスは後続の処理のためにＦＦＴウィンドウによって選択される。この部分サイクリックプレフィックス廃棄はＦＦＴウィンドウの終了における切換時間に用いられるかもしれないτ２の期間を提供する。
【００３７】
部分サイクリックプレフィックス廃棄において、ＯＦＤＭシンボルの巡回的な性質(cyclic property)または循環性(circularity)が利用され、サイクリックプレフィックスおよび有効部分の双方からのサンプルはＯＦＤＭ復調に用いられる。図５の部分サイクリックプレフィックス廃棄の２つの例の相違点は廃棄されるサイクリックプレフィックスの量である。一般に、（例えば、図の中段の例のように）より多くのサイクリックプレフィックスを廃棄することは、ＦＦＴウィンドウの終了において切換時間のためにより少ない時間を提供するが、より低いＩＳＩ／ＩＣＩという結果になるかもしれない。逆に、（例えば、図の下段の例のように）より少ないサイクリックプレフィックスを廃棄することは、切換時間のためにより多く時間を提供するが、より高いＩＳＩ／ＩＣＩという結果になるかもしれない。廃棄するサイクリックプレフィックスの量はスイッチ時間に基づいて選択される。
【００３８】
図６はダウンリンク−アップリンク切換点に先行する最後のＯＦＤＭシンボルに対して部分サイクリックプレフィックス廃棄を用いる設計を示す。この設計において、最後のＯＦＤＭシンボル以外の各受信ＯＦＤＭシンボルに対しては、良好なＩＳＩ／ＩＣＩ性能を取得するためにサイクリックプレフィックスのすべてまたは大部分が破棄されるかもしれないように、ＦＦＴウィンドウが配置されるかもしれない。最後のＯＦＤＭシンボルに対して、(i)サイクリックプレフィックスの一部分のみが破棄され、かつ(ii)できるだけＩＳＩ／ＩＣＩを減少させながら切換時間が満足され得るように、ＦＦＴウィンドウが配置されるかもしれない。最後のＯＦＤＭシンボルに対するＦＦＴウィンドウは、サイクリックプレフィックス内で始まるかもしれず、直前のＯＦＤＭシンボルに対するＦＦＴウィンドウの開始から１のＯＦＤＭシンボル期間より短い（すなわちＮＦＦＴ＋ＮＣＰサンプルより少ない）かもしれない。最後のＯＦＤＭシンボルに対するＦＦＴウィンドウは、図６に示すように、最後のＯＦＤＭシンボルの終わりから少なくとも切換時間だけ早く終了するかもしれない。
【００３９】
一般に、以下のオプションがダウンリンク−アップリンク切換点に先行する最後のＯＦＤＭシンボルに利用可能である。  
１    ＮＧＰ＝１ＯＦＤＭシンボルのガード期間を用い、従って、ダウンリンクで１ＯＦＤＭシンボルに対応するシステム容量を失う。  
２    ＮＧＰ＝０ＯＦＤＭシンボルのガード期間を用い、サイクリックプレフィックスのいずれの部分も廃棄しない。  
３    ＮＧＰ＝０ＯＦＤＭシンボルのガード期間を用い、サイクリックプレフィックスを部分的に廃棄する。  
オプション２は、切換時間に最長時間（例えば、サイクリックプレフィックスの全期間）を提供するかもしれないが、より高いＩＳＩ／ＩＣＩによる性能劣化の結果になるかもしれない。オプション３は切換時間に対する時間的な有利さとＩＳＩ／ＩＣＩによる性能劣化量との間のトレードオフを与えるかもしれない。より長いサイクリックプレフィックスは、ＯＦＤＭ復調においてＩＳＩ／ＩＣＩによって引き起こされるかもしれないより大きな性能劣化という犠牲を払って、より長い切換時間を取得するために用いられるかもしれない。
【００４０】
オプション３においては、図６に示すように、最後のＯＦＤＭシンボルに対するＦＦＴウィンドウを切換時間に等しい量だけ早くすることによって、ＴＳＷＩＴＣＨの切換時間全体がダウンリンク受信から確保されるかもしれない。次に、ＵＥは、最後のＯＦＤＭシンボルの終わりよりＴＳＷＩＴＣＨ秒先行して、アップリンク送信へ切り換えるかもしれない。
【００４１】
別の設計において、ダウンリンク受信とアップリンク送信の間で切換時間が分割されるかもしれない。この設計において、ＵＥはダウンリンク−アップリンク切換点の前の最後のＯＦＤＭシンボル終了にＴＤＬ秒先行してアップリンク送信へ切り換えるかもしれない。また、ＵＥはダウンリンク−アップリンク切換点の後にアップリンクで送信される最初のＳＣ−ＦＤＭシンボルのサイクリックプレフィックスの最初のＴＵＬ秒を廃棄するかもしれず、ここで、ＴＳＷＩＴＣＨ  ＝  ＴＤＬ  ＋  ＴＵＬである。ＵＥは標準的方法で最初のＳＣ−ＦＤＭシンボルを生成するかもしれず、しかし、サイクリックプレフィックスの最初のＴＵＬ秒に対応するサンプルを削除(zero out)するかもしれない。実際は、部分サイクリックプレフィックス廃棄は切換点の後にアップリンクで送信される最初のＳＣ−ＦＤＭシンボルのみならず、切換点に先行するダウンリンクで受信された最後のＯＦＤＭシンボルの双方に対して実行される。この設計は、２つＯＦＤＭ／ＳＣ−ＦＤＭシンボルに跨る部分サイクリックプレフィックス廃棄によって起こり得るかもしれないより高いＩＳＩ／ＩＣＩを拡散するかもしれず、これは全体の特性を向上させるかもしれない。また、この設計は、１のサイクリックプレフィックス期間より長い切換時間をサポートするために用いられるかもしれない。
【００４２】
別の設計において、拡張サイクリックプレフィックスがアップリンクサブフレームに先行するダウンリンクサブフレームに用いられるかもしれない。１６．６７μｓのより長い拡張サイクリックプレフィックスは、ダウンリンク受信からアップリンク送信への切換により多くの時間を与えるかもしれず、また、より多くのサイクリックプレフィックスがＩＳＩ／ＩＣＩを減少させるために廃棄されることを許可するかもしれない。
【００４３】
ここに説明する技術は、サイクリックプレフィックスを部分的に廃棄するため、およびダウンリンク受信からアップリンク送信へ切り換えるための時間をより長く取得できるようにＦＦＴウィンドウを早くするために用いられるかもしれない。上述したように、本技術はゼロガード期間と共に用いられるかもしれない。また、本技術は、１つ以上のＯＦＤＭシンボルのガード期間が用いられる場合、より長い切換時間を取得するために用いられるかもしれない。表１のサポートされたガード期間は、比較的粗く、１ＯＦＤＭシンボルの粒度を有する。本技術はより細かい粒度のガード期間を取得するために用いられるかもしれず、これは切換時間および起こりうるＩＣＩ／ＩＳＩ劣化のバランスをより良くできるかもしれない。一般に、本技術はＵＥにおける切換時間に追加的に０からＴＣＰ秒を提供でき、ここでＴＣＰはサイクリックプレフィックス期間である。ｎを０以上の整数として、ガード期間がｎ個のＯＦＤＭシンボルである場合、本技術はｎ・ＴＳＹＭ秒だけでなく、ｎ・ＴＳＹＭからｎ・ＴＳＹＭ＋ＴＣＰ秒までの間に切換時間を提供できる。ここで、ＴＳＹＭはＯＦＤＭシンボル期間である。
【００４４】
図７は、無線通信システムにおいてデータを受信しおよび送信するための処理７００の一設計を示す。処理７００は（以下に説明するような）ＵＥによって、または他のエンティティによって実行されるかもしれない。
【００４５】
ＵＥは第１のリンク、例えばダウンリンク、を介して第１のＯＦＤＭシンボルを受信するかもしれない（ブロック７１２）。ＵＥは第１のＯＦＤＭシンボルに対するサイクリックプレフィックスの第１の量を廃棄するかもしれない（ブロック７１４）。ＵＥは第１のリンクを介して第１のＯＦＤＭシンボルに続いて第２のＯＦＤＭシンボルを受信するかもしれない（ブロック７１６）。第２のＯＦＤＭシンボルは、第１のリンクでのデータ受信から第２のリンク、例えばアップリンクでのデータ送信への切換点に先行する最後のＯＦＤＭシンボルであるかもしれない。ＵＥはデータ受信からデータ送信へ切り換えるための切換時間を決定するかもしれない（ブロック７１８）。一設計において、ＵＥはＵＥとノードＢとの間のＲＴＤを決定するかもしれず、次に、ＲＴＤに基づいた切換時間およびデータ受信からデータ送信への切換のための設定時間を、例えば（１）式で示すように決定するかもしれない。
【００４６】
ＵＥは切換時間に基づいて廃棄するサイクリックプレフィックスの第２の量を、サイクリックプレフィックスの第２の量がサイクリックプレフィックスの第１の量より少ないように決定するかもしれない（ブロック７２０）。次に、ＵＥは第２のＯＦＤＭシンボルに対するサイクリックプレフィックスの第２の量を廃棄するかもしれない（ブロック７２２）。一設計において、ＵＥはＦＦＴウィンドウを第２のＯＦＤＭシンボルのサイクリックプレフィックス内で始まるように配置するかもしれない。次に、ＵＥはＦＦＴウィンドウの外の第２のＯＦＤＭシンボルのサイクリックプレフィックスの部分を廃棄するかもしれない。ＵＥは、例えば、図６に示すように、ＦＦＴウィンドウを第２のＯＦＤＭシンボルの終了より少なくとも切換時間だけ早く終了するように配置するかもしれない。ＵＥは、第１のＯＦＤＭシンボルのサイクリックプレフィックス全体を廃棄するかもしれず、第２のＯＦＤＭシンボルの部分的サイクリックプレフィックスを廃棄するかもしれない。
【００４７】
ＵＥは、送信タイミングに従ってＳＣ−ＦＤＭシンボル（または、場合によりＯＦＤＭシンボル）を送信するかもしれない（ブロック７２４）。送信タイミングは図４および図６に示すように、ＵＥでの受信タイミングと比較して先行するかもしれない。切換時間は送信タイミングと受信タイミングとの間の時間先行量に基づいて決定されるかもしれない。一設計において、切換時間をデータ受信とデータ送信との間に分配するために、ＳＣ−ＦＤＭシンボルのサイクリックプレフィックスの一部も廃棄されるかもしれず、ここで、その廃棄されるサイクリックプレフィックスの一部は切換時間に基づいて決定される。部分サイクリックプレフィックス廃棄はデータ受信からデータ送信へ切り換えるために、ガード期間に加えてより長い時間を提供するかもしれない。
【００４８】
第１のリンクでのデータ受信および第２のリンクでのデータ送信はＴＤＤまたは半二重ＦＤＤ動作に対するものかもしれない。ゼロＯＦＤＭシンボルまたは整数のＯＦＤＭシンボルのガード期間はデータ受信とデータ送信との間で用いられるかもしれない。
【００４９】
図８は、無線通信システムにおけるデータを受信しおよび送信するための装置８００の設計を示す。装置８００は、第１のリンクを介して第１のＯＦＤＭシンボルを受信するためのモジュール８１２と、第１のＯＦＤＭシンボルに対するサイクリックプレフィックスの第１の量を廃棄するためのモジュール８１４と、第１のＯＦＤＭに続く第１のリンクを介して第２のＯＦＤＭシンボルを受信するためのモジュール８１６と、第１のリンクでのデータ受信から第２のリンクでのデータ送信へ切り換えるための切換時間を決定するためのモジュール８１８と、サイクリックプレフィックスの第２の量がサイクリックプレフィックスの第１の量より少ないように、切換時間に基づいて、廃棄するサイクリックプレフィックスの第２の量を決定するためのモジュール８２０と、第２のＯＦＤＭシンボルに対するサイクリックプレフィックスの第２の量を廃棄するためのモジュール８２２と、送信タイミングに従ってＳＣ−ＦＤＭシンボル（または、場合によりＯＦＤＭシンボル）を送信するためのモジュール８２４とを含む。図８のモジュールはプロセッサ、電子機器、ハードウェア機器、電子部品、論理回路、メモリなど、またはそれらの任意の組み合わせを含むかもしれない。
【００５０】
図９は、ノードＢ１１０およびＵＥ１２０の一設計のブロック図を示し、そしてこれらは、図１のノードＢの１つおよびＵＥの１つであるかもしれない。この設計において、ノードＢ１１０は９３４ａから９３４ｔのＴ個のアンテナを備え、またＵＥ１２０は９５２ａから９５２ｒのＲ個のアンテナを備え、ここで、一般にＴ＞１かつＲ＞１である。
【００５１】
ノードＢ１１０において、送信プロセッサ９２０はデータソース９１２から１つ以上のＵＥに対するデータを受信するかもしれず、その各ＵＥに対するデータを１つ以上の変調および符号化方式に基づいて処理するかもしれず、全ＵＥに対するデータシンボルを提供するかもしれない。また、送信プロセッサ９２０はさらにシグナリング／制御の情報を処理するかもしれず、シグナリングシンボルを提供するかもしれない。送信（ＴＸ）多入力多出力（ＭＩＭＯ）プロセッサ９３０は、データシンボル、シグナリングシンボル、パイロットシンボル、および場合により他のシンボルを多重化するかもしれない。ＴＸ  ＭＩＭＯプロセッサ９３０は、多重化されたシンボルを、適用可能であれば空間処理（例えば、プリコーディング）するかもしれず、９３２ａから９３２ｔのＴ個の変調器（ＭＯＤ）へＴ個の出力シンボルストリームを提供するかもしれない。各変調器９３２は、出力サンプルストリームを取得するために、それぞれの出力シンボルストリーム（例えばＯＦＤＭ用）を処理するかもしれない。各変調器９３２は、ダウンリンク信号を取得するために、出力サンプルストリームをさらに処理（例えばアナログに変換、増幅、フィルタリング、およびアップコンバート）するかもしれない。変調器９３２ａから９３２ｔのＴ個のダウンリンク信号は、それぞれ９３４ａから９３４ｔのＴ個のアンテナを介して送信されるかもしれない。
【００５２】
ＵＥ１２０において、アンテナ９５２ａから９５２ｒは、ノードＢ１１０からダウンリンク信号を受信するかもしれず、受信信号をそれぞれ復調器（ＤＥＭＯＤ）９５４ａから９５４ｒへ提供するかもしれない。各復調器９５４は、受信サンプルを取得するために、それぞれの受信信号を調整（フィルタリング、増幅、ダウンコンバート、およびディジタル化）するかもしれない。各復調器９５４は、受信シンボルを取得するために、受信サンプル（例えばＯＦＤＭ用）をさらに処理するかもしれない。ＭＩＭＯ検出器９５６は、９５４ａから９５４ｒのＲ個のすべての復調器から受信シンボルを取得し、適用可能であれば受信シンボルのＭＩＭＯ検出を実行し、検出シンボルを提供するかもしれない。受信プロセッサ９５８は、検出シンボルを処理（例えば、復調、デインターリーブ、デコード）し、ＵＥ１２０用にデコードされたデータをデータシンク９６０へ提供するかもしれない。
【００５３】
ＵＥ１２０のアップリンクにおいて、データソース９６２からのデータおよびコントローラ／プロセッサ９８０からのシグナリングは、送信プロセッサ９６４で処理され、適用可能であれば、ＴＸ  ＭＩＭＯプロセッサ９６６でプリコーディングされ、（例えばＳＣ−ＦＤＭ用の）変調器９５４ａから９５４ｒで処理され、ノードＢ１１０へ送信されるかもしれない。ノードＢ１１０において、ＵＥ１２０からのアップリンク信号は、アンテナ９３４で受信され、（例えばＳＣ−ＦＤＭ用の）復調器９３２で処理され、適用可能であれば、ＭＩＭＯ検出器９３６で処理され、ＵＥ１２０によって送信されたデータおよびシグナリングを取得するために、受信プロセッサ９３８でさらに処理されるかもしれない。
【００５４】
コントローラ／プロセッサ９４０および９８０は、それぞれノードＢ１１０およびＵＥ１２０における動作を指示するかもしれない。ＵＥ１２０のコントローラ／プロセッサ９８０は、図７の処理７００および／またはこの中で説明した技術の他の処理を実行または指示するかもしれない。コントローラ／プロセッサ９８０は、ノードＢ１１０とＵＥ１２０との間のＲＴＤおよびＵＥ１２０の設定時間とに基づいて切換時間を決定するかもしれない。また、コントローラ／プロセッサ９８０は、上で説明したように、切換時間に基づいてＦＦＴウィンドウの配置を決定するかもしれず、ＦＦＴウィンドウの配置を復調器９５４へ提供するかもしれない。メモリ９４２および９８２は、それぞれＵＥ１２０およびノードＢ１１０のためのデータおよびプログラムコードを格納するかもしれない。スケジューラ９４４は、ダウンリンクおよび／またはアップリンク送信のためにＵＥをスケジューリングするかもしれず、スケジューリングしたＵＥに対するリソース割当を提供するかもしれない。
【００５５】
当業者は、情報および信号は種々の異なるテクノロジーおよび技術のいずれかを用いて表されるかもしれないことを理解するだろう。例えば、上記を通じて参照されるかもしれないデータ、命令、指示、情報、信号、ビット、シンボル、およびチップは、電圧、電流、電磁波、磁場もしくは磁性粒子、光学場もしくは光粒子、またはそれらの任意の組み合わせで表されるかもしれない。
【００５６】
当業者は、本開示に関連してこの中で説明された種々の例示的な論理ブロック、モジュール、回路およびアルゴリズムのステップは、電子的ハードウェア、コンピュータソフトウェア、またはその双方の組み合わせとして実施されるかもしれないことをさらに認識するだろう。ハードウェアとソフトウェアのこの互換性を明確に例示するために、種々の例示的なコンポーネント、ブロック、モジュール、回路、およびステップは、ここまで、それらの機能性の面から一般的に説明されてきた。そのような機能性がハードウェアまたはソフトウェアとして実施されるかどうかは、全体のシステムに課せられた特定の用途および設計制約に依存する。当業者は、説明された機能性を各特定の用途に対して異なる方法で実施するかもしれないが、そのような実施の決定は本開示の範囲からの逸脱を引き起こすと解釈されるべきではない。
【００５７】
この中で本開示に関して説明された種々の例示的な論理ブロック、モジュール、および回路は、汎用プロセッサ、デジタル信号プロセッサ（ＤＳＰ）、特定用途向集積回路（ＡＳＩＣ）、プログラマブルゲートアレイ（ＦＰＧＡ）もしくは他のプログラム可能論理デバイス、個別ゲートもしくはトランジスタ論理、個別ハードウェアコンポーネント、またはこの中で説明された機能を実行するように設計されたそれらの任意の組み合わせで実施または実行されるかもしれない。汎用プロセッサは、マイクロプロセッサであるかもしれないが、代替的にはプロセッサは、任意の通常のプロセッサ、コントローラ、マイクロコントローラまたは状態機械であるかもしれない。プロセッサはさらに、計算デバイスの組合せ、例えばＤＳＰとマイクロプロセッサ、複数のマイクロプロセッサ、ＤＳＰコアと連係した１つ以上のマイクロプロセッサ、または他のそのような構成として実施されるかもしれない。
【００５８】
本開示に関してこの中で説明された方法またはアルゴリズムのステップは、直接、ハードウェアで、プロセッサで実行されるソフトウェアモジュールで、またはその２つの組合せで具体化されるかもしれない。ソフトウェアモジュールはＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当業者に既知の任意の形式の記憶媒体の中にあるかもしれない。典型的な記憶媒体は、プロセッサが情報を記憶媒体から読み出し、および情報を記憶媒体に書き込むことができるようにプロセッサに接続される。代替的には、記憶媒体はプロセッサの構成部品であるかもしれない。プロセッサおよび記憶媒体はＡＳＩＣ内にあるかもしれない。ＡＳＩＣはユーザ端末内にあるかもしれない。代替的に、プロセッサおよび記憶媒体は個別部品としてユーザ端末内にあるかもしれない。
【００５９】
１つ以上の典型的な設計において、説明された機能は、ハードウェア、ソフトウェア、ファームウェア、またはそれらの任意の組み合わせで実施されるかもしれない。ソフトウェアで実施される場合、機能は、コンピュータ可読媒体上の１以上の命令またはコードとして格納されるか、送信されるかもしれない。コンピュータ可読媒体は、１つの場所から他の場所へのコンピュータプログラムの移送を容易にする任意の媒体を含む通信媒体およびコンピュータ記憶媒体の双方を含む。記憶媒体は、汎用または特定用コンピュータによってアクセスできる任意の利用可能な媒体であるかもしれない。限定としてではなく、例として、そのようコンピュータ可読媒体は、ＲＡＭ、ＲＯＭ、ＥＥＰＲＯＭ、ＣＤ−ＲＯＭもしくは他の光ディスク記憶、磁気ディスク記憶もしくは他の磁気記憶デバイス、または所望のプログラムコード手段を命令もしくはデータ構造の形式で搬送もしくは格納するために用いられることができ、かつ汎用もしくは特定用コンピュータまたは汎用もしくは特定用プロセッサによってアクセスされることができる任意の他の媒体、を含むことができる。また、いかなる接続も適切にコンピュータ可読媒体と呼ばれる。例えば、ソフトウェアは、ウェブサイト、サーバ、または他のリモートソースから同軸ケーブル、光ファイバーケーブル、撚り線、デジタル加入者線（ＤＳＬ）、または赤外線、無線、およびマイクロ波のような無線テクノロジーを用いて伝送される場合、同軸ケーブル、光ファイバーケーブル、撚り線、デジタル加入者線（ＤＳＬ）、または赤外線、無線、およびマイクロ波のような無線テクノロジーは媒体の定義に含まれる。ディスク（disk）およびディスク（disc）は、この中で用いられるように、コンパクトディスク（ＣＤ）、レーザディスク、光ディスク、デジタル多用途ディスク（ＤＶＤ）、フロッピー（登録商標）ディスクおよびブルーレイディスクを含み、ここでディスク（disk）は、通常、データを磁気的に再生し、一方、ディスク（disc）は。レーザで光学的にデータを再生する。上記組み合わせも、コンピュータ可読媒体の範囲内に含まれるべきである。
【００６０】
本開示のこれまでの説明は、いかなる当業者も本開示を製造しまたは使用することを可能にするように提供されている。本開示への種々の変形は当業者に容易に明らかになるであろうし、そして、この中で定義された一般的な原理は、本開示の精神または範囲から逸脱することなく他の変形例に適用されるかもしれない。従って、本開示は、この中で説明された例および設計に制限されることを意図されておらず、この中で開示された原理および新規な特徴に矛盾しない最も広い範囲と一致されるということである。
【図１】
2011501903.tif 000006
【図２】
2011501903.tif 000007
【図３Ａ】
2011501903.tif 000008
【図３Ｂ】
2011501903.tif 000009
【図４】
2011501903.tif 000010
【図５】
2011501903.tif 000011
【図６】
2011501903.tif 000012
【図７】
2011501903.tif 000013
【図８】
2011501903.tif 000014
【図９】
2011501903.tif 000015
【国際調査報告】
2011501903.tif 000016
2011501903.tif 000017